(57)【特許請求の範囲】
【請求項１】
容器（１）であって、下側部（２）と前記下側部（２）をカバーする蓋（３）とを備え、前記蓋（３）は第１の位置から少なくとも１つのさらなる位置に動かすことができる閉鎖部（４）を有し、前記下側部（２）はカバー（５）によって完全に閉鎖され、前記閉鎖部（４）は、前記第１の位置から前記少なくとも１つのさらなる位置に動かされた場合に、前記カバー（５）に少なくとも１つの開口（１３）を形成するよう設計されており、
前記蓋（３）はヒンジ支持部（１７）を含み、前記閉鎖部（４）のヒンジ（１６）は、ヒンジ（１６）およびヒンジ支持部（１７）が前記閉鎖部（４）の線形的および回動可能移動をもたらすような態様で、ヒンジ支持部（１７）に配置される、容器。
【請求項２】
前記閉鎖部（４）は第３の位置に動かされて、前記カバー（５）にある前記少なくとも１つの開口（１３）を露出するよう設計されている、請求項１に記載の容器（１）。
【請求項３】
前記閉鎖部（４）は、線形的態様および回動可能な態様の両方で、蓋（３）に取付けられる、請求項１または２に記載の容器（１）。
【請求項４】
前記閉鎖部（４）は前記カバー（５）に対向する少なくとも１つの突出部（８）を含み、前記突出部（８）は、前記閉鎖部（４）が線形的態様で前記カバー（５）に向かって移動させられた場合に、開口（１３）がカバー（５）に形成されることを引起す、請求項１から３のいずれか１項に記載の容器（１）。
【請求項５】
前記閉鎖部（４）は前記カバー（５）に対向する少なくとも１つのさらなる突出部（７）を含み、前記突出部（７）は、前記閉鎖部（４）が線形的態様で前記カバー（５）に向かって移動させられた場合に、さらなる開口（１２）がカバー（５）に形成されることを引起す、請求項４に記載の容器（１）。
【請求項６】
前記蓋（３）は前記少なくとも１つの開口（１２，１３）の周りに延在する外周エッジ（９）を有する、請求項１から５のいずれか１項に記載の容器（１）。
【請求項７】
前記閉鎖部（４）は、前記外周エッジ（９）と相互作用する少なくとも１つの外周エッジ（１０）を有する、請求項４に記載の容器（１）。
【請求項８】
下側部（２）と前記下側部（２）をカバーする蓋（３）とを備える容器（１）の使用であって、前記蓋（３）は第１の位置から第２の位置に線形移動によって動かすことができる閉鎖部（４）を有し、前記下側部（２）はカバー（５）によって最初は完全に閉鎖され、前記閉鎖部（４）の駆動により、前記閉鎖部（４）が前記第１の位置から前記第２の位置に線形移動によって動かされた場合に、少なくとも１つの開口（１３）がカバー（５）に形成されることを引起す、容器の使用。
【請求項９】
前記閉鎖部を線形移動によって第１の位置から第２の位置に動かした後、前記カバー（５）にある前記少なくとも１つの開口（１３）を露出するために、閉鎖部（４）は、回動移動によって、第３の位置に動かされる、請求項８に記載の容器（１）の使用。
【発明の詳細な説明】
【技術分野】
【０００１】
説明
本発明は容器およびこのような容器を使用する方法であって、独立請求項のそれぞれのプリアンブルに記載されている特徴に従う容器に関する。
【背景技術】
【０００２】
このような容器、たとえば軽金属材からなる飲料缶は、一般的に知られている。これらの容器はたとえば飲料を保持し、最初は外部に対して完全に密封されている。このような容器の蓋には、閉鎖部が配置され、この閉鎖部は蓋に開口を形成するために、第１の位置から第２の位置に動かされ、それにより容器内の飲料へのアクセスを提供する。閉鎖部がなくされないことを確実にするような態様で、閉鎖部が容器の蓋に固定される使用がある。しかし、この構成は、開口が一旦蓋に形成されると、再度閉鎖することができず、開口が閉鎖部によって覆われないという欠点がある。
【０００３】
一般的なニーズとして、ある媒体、たとえば飲料といった液体で充填されるよう設計されている容器であって、飲料が容器内に入れられ、最初は容器の外部に対して内部で密閉封入される容器のニーズがある。閉鎖部を駆動させることにより、媒体へのアクセスを提供しながら、媒体全部が容器から出されていないのなら、容器に形成された開口を再度閉鎖することを確実にする。典型的な例は飲料缶の炭酸飲料であり、炭酸飲料全部が飲料缶から飲まれていなければ、再閉鎖しなければならない。同じことが他の種類の飲料、たとえば暖かい飲料でもいえる。ここで、飲料を外に出すために形成された開口は、暖かい飲料の温度が保持され、かつ飲料缶を動かしたときに、暖かい飲料が開口を通して容器からこぼれ出ることを防ぐために、再閉鎖可能であるべきである。
【０００４】
上記のニーズを満たすために、液体を保持するよう設計されている容器用の閉鎖および開放装置がたとえばＤＥ  ２０  ２０１０  ００２  ２４０  Ｕ１に記載されており、この装置は容器の開放端に固定される蓋ベースおよび軸方向の開口を含み、第１の軸方向の力が与えられると、第１の安定状態において凹状のジオメトリを有し、第２の軸方向の力が与えられると、第２の安定状態において凸状のジオメトリを有する二安定蓋を含み、蓋は上から蓋ベースの軸方向の開口を被覆し、さらにバルブスライドを含み、その上側は蓋の下側に接続され、かつ蓋ベースの軸方向の開口を通って延在し、その半径方向外側部は蓋ベースの軸方向において下側の封止面と密封接触して配置でき、この液体除去バルブのバルブスライド上に圧力逃がし弁が形成され、圧力逃がし弁は蓋に対して開く方向で軸方向の力が与えられることにより駆動し、これは液体除去弁のバルブスライドと同じ態様であるが、圧力逃がし弁はバルブスライドを駆動させる前に開く方向に駆動させられる。この構成は、駆動に相対的に小さな力しか必要なく、容器を初めて開ける場合に適する。しかし、この既知の容器の閉鎖装置の全体の構造は非常に難しくかつ複雑であり、製造の際に不利となる、特に自動製造の場合に、およびコストの点で不利である。
【発明の概要】
【発明が解決しようとする課題】
【０００５】
したがって、本発明の目的は、容器および操作が容易なこの容器の使用方法を示し、前記容器を再閉鎖可能にし、さらにこのような容器を迅速に、かつ費用効果の高い生産、特に自動化された態様で、提供することである。
【課題を解決するための手段】
【０００６】
本目的は、本発明に従う特許請求項に従って達成される。
本発明の容器において、容器の下側部はカバーによって完全に閉鎖され、閉鎖部は第１の位置から少なくとも１つのさらなる位置に動かされたときに、カバーに少なくとも１つの開口を形成するよう設計されている。最初に、下側部はカバーによって完全に閉鎖されている。前記カバーは下側部と一体的に形成され得るか、または別個のコンポーネントとして設計され得る。カバーおよび下側部が一体形成されるのなら、既に一体として製造されている場合には有利である。カバーが下側部に対して別個のコンポーネントである場合、後で下側部に固定することができ、下側部の内部はカバーによって外部に対して完全に閉鎖される。代替的に、カバーは蓋の一部であってもよい。この場合、蓋およびカバーは一体的に設計される、または代替的に、互いに別個に設計される。カバーがフィルムまたはホイル(Folie)である場合特に有利である。カバーがフィルムまたはホイルである場合、これは特に有利な態様で下側部に接続される。たとえば、下側部と特に膜またはホイルからなるカバーとがプラスチック材からなる場合、これら２つのコンポーネントは互いに類似した態様で接着、溶接、または封止接続できるので、下側部にあるたとえば液体である媒体は、外部に対して密閉封入される。これは、容器内にある媒体、特に下側部にある媒体が、長期間十分に保持できるという有利な態様を確実にする。
【０００７】
さらに、閉鎖部が第１の位置から少なくとも１つのさらなる位置に動かされた場合に、閉鎖部はカバーに少なくとも１つの開口を形成するよう設計されている。この態様で、最初は下側部を完全に閉鎖しているカバーに、少なくとも１つの開口を容易に形成することができ、下側部にある媒体へのアクセスを提供する。前記開口が飲料用の開口であるのなら、前記飲料用の開口に加えて、圧力を保持する（循環開口）用の別の開口が有利に設けられる。
【０００８】
本発明の閉鎖部は、最初は下側部を完全に閉鎖しているカバーを開けるために設計および構成されており、たとえば閉鎖部を駆動させることにより、フィルムまたはホイルに穴を開ける。このような態様で、開口は形成されるが、この開口は閉鎖部のこの位置ではまだ閉鎖されている。すなわち、前記閉鎖部が第１の位置からそのさらなる位置に動かされた後でも、開口はまだ閉鎖されている。閉鎖部がこの第２の閉鎖位置からさらなる第３の位置に動かされると、既にカバーに形成された開口への自由なアクセスが与えられ、それにより下側部にある媒体を取出すことができる。前の説明では、液体媒体が一例として挙げられているが、ゲル状のまたは流動可能な媒体といった他の媒体も可能である。
【０００９】
今は第３の位置にある閉鎖部が、露出した１つまたは２つの開口を再び閉鎖するために、第２の位置に戻すことができるという別の利点がある。このため、閉鎖部および蓋の関連する部分は、閉鎖部が第２の位置に戻る態様で設計され、閉鎖部は少なくとも１つの開口を密閉封止する。さらに、実際にはこれは目的ではないが、少なくとも１つの開口が密閉封止されている第２の位置にある閉鎖部を、第１の最初の位置に戻すこともできる。通常、この最初の位置（元の状態）では、まだ完全なままの状態であるカバーに、開口が閉鎖部によって形成されていないことを確実にし、閉鎖部が第１の位置から第２の位置に動かされるまで、少なくとも１つの開口が形成されないことを確実にする。
【００１０】
本発明に従う閉鎖部の上記の一連の動きを可能にするために、前記閉鎖部は線形的態様および回動可能な態様で、蓋上に支持される。具体的な構成において、閉鎖部は線形的な態様で第１の位置から第２の位置にまず動かされる。この線形移動は、容器の軸方向に閉鎖部を容器の上側から下側部に押さえることによって得られる。閉鎖部、関連する蓋、および下側部の幾何学的構成により、容器の軸方向の配置に対して角度を付けた線形移動も可能となる。閉鎖部が第２の位置を取ると、カバーに少なくとも１つの開口が形成されるがカバーはまだアクセス可能ではない状態にあり、少なくとも１つの開口は閉鎖部を回動させるだけで露出することになる。これで下側部内にある媒体は自由にアクセス可能となり、たとえば注いだり飲んだりすることができる。閉鎖部が反対方向、すなわち少なくとも１つの開口が露出している第３の位置から第２の位置に回動させられると、その少なくとも１つの開口は簡単な態様で閉鎖され、それにより下側部にまだある残りの媒体は保護された態様となる。その結果、下側部にまだある残りの媒体はその泡立ち（特に、炭酸系の媒体の場合）を失うことから有利に保護され、温度の高さ（たとえば、熱い飲料の場合）はほぼそのままである。後者の場合、所望の温度レベルは下側部、蓋および閉鎖部の適切な材料によって、および／または特殊な材料（絶縁材）を選択することによって、または両方の対策の組合せにより、保持することができる。
【００１１】
本発明の構成に従う別の利点は、閉鎖部が蓋に配置されることにより、閉鎖部をなくしてしまうことがない態様で固定することができ、その結果本発明に従う容器を使用する際無駄なごみは出ず、容器は使用の後その全体を捨てることができる。
【００１２】
本発明に従うこのような容器の使用について、下側部は最初はカバーによって完全に閉鎖され、閉鎖部を駆動させることにより、閉鎖部が第１の位置から少なくとも１つのさらなる位置に動かされると、カバーに少なくとも１つの開口が形成される。これは、カバーにまず開口を形成するために、手を単純に動かすことにより、閉鎖部が線形的態様で駆動される（押される）ことを意味する。この動作により閉鎖部が第１の位置から少なくとも１つのさらなる位置に有利に動かされると、１つの開口（または複数の開口）はカバーに形成されるが、この開口はまだアクセス可能ではない。すなわち、閉鎖部が第１の位置から第２の位置に動くことにより、カバーに開口が形成されるが、下側部にある媒体はまだ取出すことができない。下側部にある媒体の取出は、好ましくは回動動作により、閉鎖部が有利に第３の位置に動かされるまで可能ではなく、前記閉鎖部を第１の位置から第２の位置に、好ましくは線形の移動手段により動かした後、カバーの少なくとも１つの開口を露出することになる。別の有利な点は、前記閉鎖部の第２の位置から第３の位置の動きは逆の移動も可能であることであり、既に露出している少なくとも１つの開口を、閉鎖部が第３の位置から第２の位置に戻った後、再閉鎖することになる。さらに他の利点は、これら２つの移動（第２の位置から第３の位置およびその逆）は何回でも繰返すことができることである。
【図面の簡単な説明】
【００１３】
【図１】下側部および閉鎖部を含む蓋を備える容器の斜視図である。
【図２】閉鎖部が第１の位置にある状態を示す図であり、左側が蓋の斜視図、右側が容器の上側部分の断面を示す斜視図である。
【図３】閉鎖部が第２の位置にある状態を示す図であり、左側が蓋の斜視図、右側が容器の上側部分の断面を示す斜視図である。
【図４】閉鎖部が第３の位置にある状態を示す図であり、左側が蓋の斜視図、右側が容器の上側部分の断面を示す斜視図である。
【発明を実施するための形態】
【００１４】
上記の容器およびこのような容器の使用は、図面に示される例示的実施の形態を参照してより詳細に説明される。
【００１５】
詳細に示される限りにおいて、図１は、下側部２および閉鎖部４を含む蓋３を備える容器１を示す。容器１の上記コンポーネントはすべて、同じ種類の材料または同じ材料（たとえば、プラスチック、またはアルミニウムのような軽金属材）からなるが、個々のコンポーネントは異なる材料から形成されてもよい。下側部２、蓋３、および閉鎖部４がプラスチック材から形成されることは特に有利であり、容器１の前記コンポーネントは、プラスチック射出成形処理により、簡単かつ費用効果的な態様で、特に大量生産が容易となる。しかし、前記生産方法または容器１のジオメトリは一例であって、本発明の必須の特徴ではない。特に、容器１の他の幾何学的形状が可能であり、除外されるべきではない。
【００１６】
プラスチック材が用いられる場合、下側部２および蓋３は射出成形処理によって製造できる。プラスチック材から下側部２および／または蓋３を製造する別のオプションとして、深絞り加工がある。前記コンポーネントが金属材からなる場合、特にアルミニウムのような軽金属材からなる場合、ブロー成形、圧延／押圧加工、または類似した方法によって製造できる。衛生上の理由により、閉鎖部４は有利にプラスチック材または金属材からなり、特に射出成形加工によって製造される。上記に挙げた製造方法は排他的ではなく、製造するべき部分の構造に依存して、他の方法を用いることができる。
【００１７】
図２は、左側に蓋３、および右側に容器１の上側部分の断面を示す図である。右の図は、下側部２にはカバー５が設けられている状態を示す。本例示的実施の形態において、カバー５は、下側部２および蓋３に対して別個のコンポーネントを構成するフィルムまたはホイルである。前記カバー５は、媒体（図示されていない）が容器１の下側部２に入れられると、下側部２の外周上側エッジに密閉封止される。下側部２を充填および閉鎖した後、既に閉鎖部４とともに用意された蓋３が被せられる。実務的理由により、蓋３は図２の左側の例示に従い既に閉鎖部４が設けられており、閉鎖部４は動かすことはできるがなくすことはないような態様で、蓋３の支持部６に配置される。
【００１８】
上記の構成の代替とし、カバー５は下側部２に固定されるのではなく、カバー５は蓋３と一体的に製造される、または別個のコンポーネントとして、蓋３の特に外周下エッジに固定される。この場合、カバー５を含む蓋３が下側部２に被せられる場合、下側部２および蓋３が互いにきっちりと封止されることが重要である。これは、たとえば蓋３と下側部２との間に密閉封止された、恒久的接続（たとえば、接着、溶接など）を形成することにより得ることができる。代替的に、下側部２にある媒体を外部に対して有効に密封するために、蓋は予め非常に高い引っ張られた状態で下側部２と接し得る。
【００１９】
図２の右側の例は、閉鎖部４が突出部７および突出部８を有することを示す。閉鎖部４を駆動させることによりカバー５に１つの開口のみが形成されるのなら、閉鎖部４はカバー５に対向する１つの突出部（突出部７のみまたは突出部８のみ）を有するだけで十分である。しかし、閉鎖部４を駆動させることによりカバー５に２つの開口を形成する場合、閉鎖部４はカバー５に対向する２つの突出部７および８を有さなければならない。１つの突出部７もしくは８、または両方の突出部７および８は、同じジオメトリを有するか、または互いに異なっていてもよい。それぞれの端部において、２つの突出部７および８または１つの突出部７もしくは８は、閉鎖部の駆動および第１の位置から第２の位置への移動により、少なくとも１つの開口を形成するためにカバー５が貫通するような態様で設計される。
【００２０】
後で形成される開口の周りの領域において、蓋は外周エッジ９を有する。蓋３の外周エッジ９は、閉鎖部４の外周エッジ１０に対応する。閉鎖部４のこの位置において、すなわち蓋３からある距離において、少なくとも１つの突出部７および８の端部および少なくとも１つの外周エッジ９の上向きの端部の部分は、閉鎖部４の少なくとも１つの外周エッジ１０からある距離を有する。これは、図２に示される容器１の状態では、カバー５は完全なままであることを意味し、その結果、下側部２内にある媒体は容器１の外部に対して完全に密閉封入されている。したがって、閉鎖部４はその最初の第１の位置にある（蓋３または全体の容器１が配達された状態にある）。
【００２１】
図３はここでも蓋３を示す。左側に閉鎖部４、および右側に容器１の断面を示す。閉鎖部４が線形移動により、第１の位置からさらなる位置に動かされたことがはっきりとわかる。前記線形移動は、閉鎖部４の上側部を下側部２の方向に押すことによってもたらされる。支持部６内に下に押下げられた閉鎖部４は図３の左側ではっきりとわかり、図３の右側では、閉鎖部４の少なくとも１つの突出部７，８（本例示的実施の形態においては、突出部７および８の両方）がカバー５を貫通していることを示す。この線形移動が完了すると、カバー５には少なくとも１つの突出部、好ましくは両方の突出部７および８が貫通し、蓋３の少なくとも１つの外周エッジ９、好ましくは両方の外周エッジ９と、閉鎖部４の少なくとも１つの対応するエッジ１０、好ましくは両方の対応するエッジ１０とは互いに接触１１している。前記接触１１により、突出部７，８によってカバー５に形成された開口１２，１３は容器１の外部に対して密閉封止されたままであることを確実にする。これは、たとえば間違って閉鎖部４を下に下げることによる閉鎖部４を駆動させても、下側部２にある媒体が外部に対してまだアクセスできないことを意味する。その結果、容器１は、閉鎖部４が間違って駆動された場合に、最初は有効に保護されている。
【００２２】
下側部内にある媒体の種類に依存して、閉鎖部４の上記駆動によりカバー５において１つの開口のみ、すなわち、取出口のみが形成される。媒体が問題なく下側部２から取出すことができる大きさを開口が有する場合、カバー５に１つの開口のみを形成するだけで十分である。しかし、容器がたとえば飲料缶であって飲料が下側部２内にある場合、閉鎖部４の駆動によりカバー５に２つの開口が形成されることが有利である。この場合、２つの開口は有利に、蓋３の端から所定の距離で設けられる流通開口１２である。前記流通開口１２は、容器の内外の圧力補正の役割を果たす。さらに、下側部２から飲料を取出すために、飲料用開口が設けられる。原則として、開口１３の表面積が、流通開口１２の断面積よりも広いよう、好ましくかなり広いよう、選択されることで十分である。飲料開口１３は、アクセスを容易にするために、蓋３の端近くにある。
【００２３】
少なくとも１つの開口１２，１３がカバー５に形成されたことが図３を参照して示され、説明されたが、この位置では少なくとも１つの開口を通して下側部にある媒体を取出すことはまだできない。この目的のためには、図４に示されるように、閉鎖部４は回動運動により、第２の位置（図３）から第３の位置（図４）に動かされなければならない。図４に示されるように、閉鎖部４は支持部６の回転軸を中心として回動させられている。その結果、少なくとも１つの開口１３、特に両方の開口１２，１３が、露出される。
【００２４】
ここで、閉鎖部４が、たとえば蓋３に配置される突起１４によって、第３の位置にロックされるのが特に有利である。これは、突起１４によって第３の位置に保持される閉鎖部４が、開口１３を通る下側部２からの媒体の取出を妨げないことを意味する。図４において、開口１３、特に飲料口は、開口１２、特に圧力補正のために設けられる流通開口よりも、大きい断面を有することがはっきりとわかる。図４の右側の例は、蓋３がフィルム／ホイル安定部１５を含むことを示す。たとえば蓋３の外周エッジ９の内側上の板状コンポーネントとして配置され得る前記フィルム／ホイル安定部１５は、開口１３を最初に閉鎖していたカバー５の部分が、閉鎖部４の突出部８によって貫通された後、最初の位置に戻らないことを確実にする。これは、フィルム／ホイル安定部１５が、下側部２の方向において、カバー５の貫通した部分、特にフィルム／ホイルを保持し、媒体が開口１３を通って下側部２から取出される場合に、フィルム／ホイル４の貫通した部分が蓋３の表面の方向に戻ることを防止することを意味する。
【００２５】
図１から図４において６で示される蓋３の閉鎖部４の支持部６は、蓋３がヒンジ支持部１７を含むような態様で構成され、閉鎖部４のヒンジ１６は、ヒンジ１６とヒンジ支持部１７とが閉鎖部４の線形および回動移動をもたらすような態様で、ヒンジ支持部１７に配置される。これは、ヒンジ支持部１７がほぼＵ字型の２つの脚を含むことを意味し、閉鎖部４の端部面に固定されるヒンジ１６は、最初はヒンジ支持部１７の２本の脚間の上端部に支持される（図２参照）。この状態（図２）において、内側に向いている突出部が、ヒンジ支持部１７の２本の脚間のヒンジ１６下に設けられ、その突出部はヒンジ支持部１７の上側部においてヒンジ１６を保持する。閉鎖部４に与えられる圧力により、ヒンジ１６はヒンジ支持部１７の２本の脚間の前記内側に面する突出部を通過し、それにより前記ヒンジはヒンジ支持部１７の下側部に収容可能となる（図３参照）。これは、閉鎖部４の線形移動をも制限する。ヒンジ支持部１７がＵ字型であるので、一方ではヒンジ１６は第１の位置（図２）で保持され、他方ではわずかな力を与えることで第２の位置（図３）に動かすことができる。ヒンジ１６はたとえばヒンジピンとして、すなわち円筒形または管状の形で設計されているので、支持部の領域において閉鎖部４を第２の位置（図３）から第３の位置（図４）に回動させることができる。上記の一連の移動（線形移動があって、回動移動が続き、次に戻る）は、最初は下側部２内にあり、かつカバー５によって容器１の外部に対して密閉封入されている媒体に対して、簡単な態様で、アクセスを提供し、これは閉鎖部４を駆動させて必要な少なくとも１つの開口を形成し、閉鎖部４をさらに移動させて前記開口へのアクセスを提供し、前記少なくとも１つの開口は閉鎖部を駆動させることによりきっちりと再封止できる。これに照らして、閉鎖部４は上記のように、少なくとも１つの開口を密閉封止する。下側部２内にある媒体の種類に応じて、少なくとも１つの開口は閉鎖されるだけで、必ずしも閉鎖部４によって密閉封止されないことを可能にする。これは、媒体の種類によって開口が密閉封止される必要がない場合、閉鎖部４がより簡単な構造を有することができるという利点を提供する。
【００２６】
ヒンジ１６およびヒンジ支持部１７を参照して、以下の重要な事項の詳細を説明しなければならない。図２ではっきりとわかるように、ヒンジ１６はＵ字型ヒンジ支持部１７の２つの上端部に向かって平坦化される。ヒンジ支持部１７の対応するジオメトリも類似して形成されるので、ヒンジ支持部１７はヒンジ１６の高さにおいてその上側部に平行な平坦面を有する。これは、閉鎖部４がこの位置では回動できない（すなわち、開口はまだ開けることができない）ことを確実にする。丸い断面を有するヒンジ支持部においてヒンジ１６が下側部で回動できる前に、閉鎖部４は線形的態様で図２に示される位置から図３に示されるさらなる位置に動かされなければならない。一旦少なくとも１つの開口が形成されると、少なくとも１つの開口１３、好ましくは両方の開口１２，１３を露出するためには、閉鎖部４は図３に示される位置から図４に示される位置に回動できることを確実にする。
【００２７】
フィルム／ホイル安定部１５はカバー５の一部、または付加的コンポーネントである。好ましい構成において、フィルム／ホイル安定部１５は一体成形ヒンジとして設計され、閉鎖部４が線形の態様で図２に示される位置から図３に示される位置に動かされる（押下げられる）ときに動く。最初はカバー５の表面に対して平行に配置されるフィルム／ホイル安定部１５は、約９０°曲げられ、閉鎖部４によって貫通されたカバー５が、媒体の下側部２からの取出し時に、再度閉鎖することを防ぐ。これは、一旦閉鎖部４が当該場所でカバー５を貫通すると、開口１３がほぼ完全に開いたまま残ることをフィルム／ホイル安定部１５が有利に引起すことを意味する。同じことが開口１２でもいえるが、必ずしもその必要はない。これは、別のフィルム／ホイル安定部が、開口１２の領域に設けられ得ることを意味するが、必ずしも必要ない。
【００２８】
図面に示される例示的実施の形態を参照して、下側部２は円周ビード１８を含むことに留意しなければならない。蓋３は、下側部２の前記円周ビード１８に対応する円周エッジ１９を有する。ビード１８およびエッジ１９は、蓋３が問題なく下側部２の上部に被せられるような態様で互いに対応させられ、ビード１８およびエッジ１９は、なくすことができないよう、蓋３が下側部２に恒久的に固定されるような態様で設計される。再度、カバー５は蓋３をする前に、下側部２に対して恒久的にかつ密閉封止（固定）されるが、カバー５は、下側部２ではなく、蓋３の一部であってもよく、蓋３が被せられた場合に取り付けることができる。
【００２９】
図１から図４に示される、容器１の構成の特定の利点は、片手操作である。特に、示される円筒形容器１を片手で下側部２の部分を持ちながら、閉鎖部４がたとえば親指で押下げることができ（図２および図３に示される一連の移動）、閉鎖部４はその後すぐに、または後で、親指を再び用いて回動させることができる（図３から図４に示される一連の動き）。同様に、閉鎖部４を図４に示される姿勢から逆に回動させて図３に示される位置に戻すには片手だけが必要であり、それにより少なくとも１つの開口１２，１３、好ましくは両方の開口１２，１３を再閉鎖させる。前記片手操作の利点は、図面に示される円筒容器１によって可能となる。容器１の幾何学的形状に依存して、２つの手による操作も必要になるかもしれないが、上記の片手操作が特に有利であると考えられる。
【符号の説明】
【００３０】
１  容器
２  下側部
３  蓋
４  閉鎖部
５  カバー
６  支持部
７  突出部
８  突出部
９  エッジ（特に円筒形の外周縁）
１０  エッジ（閉鎖部の）
１１  接触
１２  開口（流通開口）
１３  開口（飲料口）
１４  突起
１５  フィルム／ホイル安定部
１６  ヒンジ
１７  ヒンジ支持部
１８  円周ビード
１９  円周エッジ
【図１】
0006001565.tif 000002
【図２】
0006001565.tif 000003
【図３】
0006001565.tif 000004
【図４】
0006001565.tif 000005